【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
コンピュータ実施式方法であって、
記憶媒体に格納されたストリーミングメディアコンテンツに関連する要求を識別するステップであって、前記要求は、ユーザに関連するクライアントデバイスによって始められ、前記ストレージメディアコンテンツは、出版エンティティから提供される、識別するステップと、
前記ストリーミングメディアコンテンツについて出版エンティティによって指定されたコンテンツアイテム基準を含む出版エンティティからの基準データを受信するステップであって、前記コンテンツアイテム基準は、ストリーミングメディアコンテンツとともに提供されるコンテンツアイテムのメディアタイプを少なくとも指定し、前記メディアタイプは、オーディオデジタルファイル形式、グラフィカルデジタルファイル形式、および複合オーディオおよびグラフィカルデジタルファイル形式のうちの1つを指定する、識別するステップと、
散在型コンテンツアイテムおよび同時型コンテンツアイテムのうちの1つとして提示されるコンテンツアイテムとともに、ストリーミングメディアコンテンツを提供するために、出版エンティティの選好を指定する出版エンティティからの選好データを受信するステップであって、前記散在型コンテンツアイテムは、ストリーミングメディアストリームの挿入点でストリーミングメディアコンテンツのストリーミングメディアストリーム内に挿入され、それにより、前記散在型コンテンツアイテムは、挿入点でストリーミングメディアストリームとして提供され、かつ、前記同時型コンテンツアイテムは、ストリーミングメディアストリームと同時に提示され、それにより、前記同時型コンテンツアイテムは、ストリーミングメディアコンテンツが提示されている間に提示される、受信するステップと、
1つまたは複数のデータプロセッサを使用して、コンテンツアイテム基準において指定されたメディアタイプ、および、選好データにおいて指定された出版エンティティの選好に少なくとも一部は基づいて、1つまたは複数のコンテンツアイテムを識別するステップと、
前記ストリーミングメディアコンテンツとともに提示するために、前記ストリーミングメディアおよび前記1つまたは複数の識別されたコンテンツアイテムを前記ユーザに提供するステップとを含む方法。
【請求項２】
1つまたは複数のコンテンツアイテムを識別するステップは、
前記1つまたは複数の識別されたコンテンツアイテムに関連する入札に少なくとも一部は基づいて、前記1つまたは複数の識別されたコンテンツアイテムから1つまたは複数のコンテンツアイテムを選択するオークションを実施するステップを含み、
前記ストリーミングメディアコンテンツおよび前記1つまたは複数の識別されたコンテンツアイテムを前記ユーザに提供するステップは、前記ストリーミングメディアコンテンツおよび前記1つまたは複数の選択されたコンテンツアイテムを前記ユーザに提供することを含む請求項1に記載の方法。
【請求項３】
前記ストリーミングメディアコンテンツおよび前記1つまたは複数の識別されたコンテンツアイテムを前記ユーザに提供することに基づいて、前記ユーザに関連するコンバージョン情報を収集するステップをさらに含む請求項1に記載の方法。
【請求項４】
データ処理装置と、
コンピュータ記憶装置に格納され、かつ、データ処理装置によって実行可能な命令を含むソフトウェアと
を備え、
前記命令は、実行時にデータ処理装置に、
ユーザから受信されるストリーミングメディアコンテンツについての要求に基づいて、記憶媒体に格納された前記ストリーミングメディアコンテンツを識別し、
散在型コンテンツアイテムおよび同時型コンテンツアイテムのうちの1つとして提示されるコンテンツアイテムとともに、ストリーミングメディアコンテンツを提供するために、出版エンティティの選好を指定する出版エンティティによって提供される選好データを受信するように動作可能なインタフェースであって、
前記ストリーミングメディアコンテンツは、出版エンティティから提供され、
前記散在型コンテンツアイテムは、ストリーミングメディアストリームの挿入点でストリーミングメディアコンテンツのストリーミングメディアストリーム内に挿入され、それにより、前記散在型コンテンツアイテムは、挿入点でストリーミングメディアストリームとして提供され、かつ、前記同時型コンテンツアイテムは、ストリーミングメディアストリームと同時に提示され、それにより、前記同時型コンテンツアイテムは、ストリーミングメディアコンテンツが提示されている間に提示される、インタフェースと、
前記ストリーミングメディアコンテンツについて出版エンティティによって指定されたコンテンツアイテム基準を含む出版エンティティによって提供される基準データを受信するように動作可能なコンテンツアイテム基準抽出モジュールであって、前記コンテンツアイテム基準は、ストリーミングメディアコンテンツとともに提供されるコンテンツアイテムのメディアタイプを少なくとも指定し、前記メディアタイプは、オーディオデジタルファイル形式、グラフィカルデジタルファイル形式、および複合オーディオおよびグラフィカルデジタルファイル形式のうちの1つを指定する、コンテンツアイテム基準抽出モジュールと、
コンテンツアイテム基準において指定されたメディアタイプ、および、選好データにおいて指定された出版エンティティの選好に少なくとも一部は基づいて、1つまたは複数のコンテンツアイテムを識別するように動作可能なコンテンツアイテム照合モジュールと
を定義するものであり、
前記インタフェースは、前記ストリーミングメディアコンテンツの提示中に、前記1つまたは複数の識別されたコンテンツアイテムを前記ユーザに提供するようにさらに動作可能であるシステム。
【請求項５】
前記1つまたは複数の識別されたコンテンツアイテムに関連する入札に少なくとも一部は基づいて、前記1つまたは複数の識別されたコンテンツアイテムから1つまたは複数のコンテンツアイテムを選択するオークションを実施するように動作可能なオークションモジュールをさらに備え、
前記インタフェースは、前記ストリーミングメディアコンテンツおよび前記1つまたは複数の選択されたコンテンツアイテムを前記ユーザに提供するように動作可能である請求項4に記載のシステム。
【請求項６】
前記ストリーミングメディアコンテンツおよび前記1つまたは複数の識別されたコンテンツアイテムを前記ユーザに提供することに基づいて、前記ユーザに関連するコンバージョン情報を収集するように動作可能なコンバージョン収集モジュールをさらに備える請求項4に記載のシステム。
【請求項７】
前記1つまたは複数の識別されたコンテンツアイテムは、同時型コンテンツアイテムであり、かつ、前記ストリーミングメディアコンテンツと同じメディアタイプである請求項1に記載の方法。
【請求項８】
前記1つまたは複数の識別されたコンテンツアイテムは、同時型コンテンツアイテムであり、かつ、前記ストリーミングメディアコンテンツと異なるメディアタイプである請求項1に記載の方法。
【請求項９】
前記1つまたは複数の識別されたコンテンツアイテムは、散在型コンテンツアイテムであり、かつ、前記ストリーミングメディアコンテンツと異なるメディアタイプである請求項1に記載の方法。
【請求項１０】
前記1つまたは複数の識別されたコンテンツアイテムは、同時型コンテンツアイテムであり、かつ、前記ストリーミングメディアコンテンツと同じメディアタイプである請求項4に記載のシステム。
【請求項１１】
前記1つまたは複数の識別されたコンテンツアイテムは、散在型コンテンツアイテムであり、かつ、前記ストリーミングメディアコンテンツと同じメディアタイプである請求項1に記載の方法。
【請求項１２】
基準データを受信するステップは、ストリーミングメディアコンテンツに関連するタグを受信するステップと、タグからコンテンツアイテム基準を抽出するステップとを含む請求項1に記載の方法。
【請求項１３】
基準データを受信することは、ストリーミングメディアコンテンツに関連するタグを受信することと、タグからコンテンツアイテム基準を抽出することとを含む請求項4に記載のシステム。
【請求項１４】
コンピュータプログラム製品であって、
1つまたは複数のメモリ記憶装置に符号化され、1つまたは複数のデータ処理装置によって実行されたとき、1つまたは複数のデータ処理装置に、
記憶媒体に格納されたストリーミングメディアコンテンツに関連する要求を識別するステップであって、前記要求は、ユーザに関連するクライアントデバイスによって始められ、前記ストレージメディアコンテンツは、出版エンティティから提供される、識別するステップと、
前記ストリーミングメディアコンテンツについて出版エンティティによって指定されたコンテンツアイテム基準を含む出版エンティティによって提供される基準データを受信するステップであって、前記コンテンツアイテム基準は、ストリーミングメディアコンテンツとともに提供されるコンテンツアイテムのメディアタイプを少なくとも指定し、前記メディアタイプは、オーディオデジタルファイル形式、グラフィカルデジタルファイル形式、および複合オーディオおよびグラフィカルデジタルファイル形式のうちの1つを指定する、識別するステップと、
散在型コンテンツアイテムおよび同時型コンテンツアイテムのうちの1つとして提示されるコンテンツアイテムとともに、ストリーミングメディアコンテンツを提供するために、出版エンティティの選好を指定する出版エンティティによって提供される選好データを受信するステップであって、前記散在型コンテンツアイテムは、ストリーミングメディアストリームの挿入点でストリーミングメディアコンテンツのストリーミングメディアストリーム内に挿入され、それにより、前記散在型コンテンツアイテムは、挿入点でストリーミングメディアストリームとして提供され、かつ、前記同時型コンテンツアイテムは、ストリーミングメディアストリームと同時に提示され、それにより、前記同時型コンテンツアイテムは、ストリーミングメディアコンテンツが提示されている間に提示される、受信するステップと、
コンテンツアイテム基準において指定されたメディアタイプ、および、選好データにおいて指定された出版エンティティの選好に少なくとも一部は基づいて、1つまたは複数のコンテンツアイテムを識別するステップと、
前記ストリーミングメディアコンテンツとともに提示するために、前記ストリーミングメディアおよび前記1つまたは複数の識別されたコンテンツアイテムを前記ユーザに提供するステップと
を含む動作を実行させる命令を含む、コンピュータプログラム製品。
【請求項１５】
前記コンテンツアイテム基準は、さらに、ユーザに関連する人口動態情報を指定し、かつ、
1つまたは複数のコンテンツアイテムを識別するステップは、人口動態情報への1つまたは複数のコンテンツアイテムの関連性に少なくとも一部は基づいて、1つまたは複数のコンテンツアイテムを識別するステップを含む請求項1に記載の方法。
【請求項１６】
前記コンテンツアイテム基準は、さらに、ユーザに関連する地理情報を指定し、かつ、
1つまたは複数のコンテンツアイテムを識別するステップは、地理情報への1つまたは複数のコンテンツアイテムの関連性に少なくとも一部は基づいて、1つまたは複数のコンテンツアイテムを識別するステップを含む請求項1に記載の方法。
【請求項１７】
前記コンテンツアイテム基準は、さらに、ストリーミングメディアコンテンツのストリーミングメディアストリームにおける挿入点を指定する請求項1に記載の方法。